(57)【要約】  本発明に係るＳＩＰサーバ２００は、移動局から受信したＩＮＶＩＴＥ（途中参加）に基づいて、ＩＮＶＩＴＥ（途中参加）を送信した移動局が実行するアプリケーションを特定し、グループ通話において実行されているアプリケーション（実行中アプリケーション）と、ＩＮＶＩＴＥ（途中参加）を送信した移動局が実行するアプリケーションとが一致するか否かを判定する判定部２０５と、実行中アプリケーションと、ＩＮＶＩＴＥ（途中参加）を送信した移動局が実行するアプリケーションとが異なると判定された場合、ＩＮＶＩＴＥ（途中参加）を送信した移動局に対し、実行中アプリケーションを通知するＳＩＰ情報送信部２０６とを備える。
2008149780.tif 000002
【特許請求の範囲】
【請求項１】
複数の無線通信端末によって構成されるグループ内での通話が可能なグループ通話を管理する管理サーバと、前記管理サーバと通信する無線通信端末とを備える無線通信システムであって、
前記管理サーバは、
前記グループ通話への途中参加を要求する途中参加要求を前記無線通信端末から受信する途中参加要求受信部と、
前記途中参加要求受信部が受信した前記途中参加要求に基づいて、前記途中参加要求を送信した前記無線通信端末が実行するアプリケーションを特定し、前記特定したアプリケーションと、前記グループ通話において実行されているアプリケーションである実行中アプリケーションとが一致するか否かを判定する判定部と、
前記途中参加要求を送信した前記無線通信端末が実行するアプリケーションと、前記実行中アプリケーションとが異なると判定された場合、前記途中参加要求を送信した前記無線通信端末に対し、前記実行中アプリケーションを通知するアプリケーション通知部と
を備え、
前記無線通信端末は、
前記途中参加要求を前記管理サーバに送信する送信部と、
前記実行中アプリケーションの通知を前記管理サーバから受信する受信部と、
前記受信部が受信した前記通知に基づき、前記実行中アプリケーションを用いて、前記途中参加要求を前記管理サーバに再送信するように制御する制御部と
を備える無線通信システム。
【請求項２】
複数の無線通信端末によって構成されるグループ内での通話が可能なグループ通話を管理する管理サーバであって、
前記グループ通話への途中参加を要求する途中参加要求を無線通信端末から受信する途中参加要求受信部と、
前記途中参加要求受信部が受信した前記途中参加要求に基づいて、前記途中参加要求を送信した前記無線通信端末が実行するアプリケーションを特定し、前記特定したアプリケーションと、前記グループ通話において実行されているアプリケーションである実行中アプリケーションとが一致するか否かを判定する判定部と、
前記判定部によって、前記途中参加要求を送信した前記無線通信端末が実行するアプリケーションと、前記実行中アプリケーションとが異なると判定された場合、前記途中参加要求を送信した前記無線通信端末に対し、前記実行中アプリケーションを通知するアプリケーション通知部と
を備える管理サーバ。
【請求項３】
複数の無線通信端末によって構成されるグループ内での通話が可能なグループ通話を管理する管理サーバと通信する無線通信端末であって、
前記グループ通話への途中参加を要求する途中参加要求を前記管理サーバに送信する送信部と、
前記グループ通話において実行されているアプリケーションである実行中アプリケーションの通知を前記管理サーバから受信する受信部と、
前記受信部が受信した前記通知に基づき、前記実行中アプリケーションを用いて、前記途中参加要求を前記管理サーバに再送信するように制御する制御部と
を備える無線通信端末。
【請求項４】
ユーザ入力を受付ける操作部と、
前記受信部が受信した前記通知に基づき、前記実行中アプリケーションを示す情報を表示する表示部と
をさらに備え、
前記制御部は、前記表示部による前記実行中アプリケーションを示す情報の表示に基づき、前記途中参加要求を前記管理サーバに再送信する旨の指示が入力された場合、前記実行中アプリケーションを用いて前記途中参加要求を前記管理サーバに再送信する請求項３に記載の無線通信端末。
【請求項５】
前記管理サーバとの呼の接続をアプリケーション毎に設定する接続制御部をさらに備え、
前記接続制御部は、前記受信部が前記実行中アプリケーションの通知を受信した場合に、前記管理サーバとの呼の接続を切断し、
前記制御部は、前記接続制御部によって前記管理サーバとの呼の接続が切断されると、前記実行中アプリケーションを用いて、前記途中参加要求を前記管理サーバに再送信する請求項３に記載の無線通信端末。
【請求項６】
前記グループ通話開始時のアプリケーションである初期アプリケーションを識別する初期アプリケーション識別情報を含み、前記管理サーバへの登録を要求する登録要求を受信する登録要求受信部と、
前記登録要求に含まれる前記初期アプリケーション識別情報を記憶する記憶部と
をさらに備え、
前記送信部は、前記記憶部が記憶した前記初期アプリケーション識別情報に基づき、前記初期アプリケーションを用いて、前記途中参加要求を前記管理サーバに送信する請求項３に記載の無線通信端末。
【請求項７】
複数の無線通信端末によって構成されるグループ内での通話が可能なグループ通話を管理する管理サーバと、前記管理サーバと通信する無線通信端末とを用いた無線通信方法であって、
前記無線通信端末が、前記グループ通話への参加を要求する途中参加要求を前記管理サーバに送信するステップと、
前記管理サーバが、前記途中参加要求を前記無線通信端末から受信するステップと、
前記管理サーバが、前記受信するステップにおいて受信した前記途中参加要求に基づいて、前記無線通信端末が実行するアプリケーションを特定するステップと、
前記管理サーバが、前記グループ通話において実行されているアプリケーションである実行中アプリケーションと、前記無線通信端末が実行するアプリケーションとが一致するか否かを判定するステップと、
前記管理サーバが、前記無線通信端末が実行するアプリケーションと、前記実行中アプリケーションとが異なると判定した場合、前記無線通信端末に対して前記実行中アプリケーションを通知するステップと、
前記無線通信端末が、前記実行中アプリケーションの通知を前記管理サーバから受信するステップと、
前記無線通信端末が、前記管理サーバから受信した前記通知に基づき、前記実行中アプリケーションを用いて、前記途中参加要求を前記管理サーバに再送信するステップと
を備える無線通信方法。
【発明の詳細な説明】
【技術分野】
【０００１】
本発明は、複数の無線通信端末によって構成されるグループ内での通話が可能なグループ通話を管理する管理サーバと、当該管理サーバと通信する無線通信端末とを備える無線通信システム、当該無線通信システムに用いられる管理サーバ、無線通信端末及び無線通信方法に関する。
【背景技術】
【０００２】
近年、移動体通信システムなどの無線通信システムにおいても、ＩＰ（Ｉｎｔｅｒｎｅｔ  Ｐｒｏｔｃｏｌ）をはじめ、無線通信端末間の呼制御を実行するＳＩＰ（Ｓｅｓｓｉｏｎ  Ｉｎｉｔｉａｔｉｏｎ  Ｐｒｏｔｏｃｏｌ；ＲＦＣ３２６１）などのＩＰ関連のプロトコル群が用いられている。【０００３】
当該プロトコル群が用いられる無線通信システムにおいて、無線通信端末（例えば、携帯電話端末）が、複数の他の無線通信端末を呼び出すことによって、複数の無線通信端末によって構成されるグループ内での通話を実現するグループ通話が提供されている。グループ通話に参加している無線通信端末は、当該グループ通話に参加している他の無線通信端末と音声データや映像データを送受信することができる。【０００４】
また、無線通信端末がグループ通話の途中から参加（以下、途中参加）可能な無線通信システムが提案されている（特許文献１参照。）。具体的には、当該無線通信システムでは、制御局装置が、無線通信端末に対し、無線基地局を介してグループ通話の情報を含む報知情報を周期的に報知する。【０００５】
これにより、呼出し信号を受信できなかった無線通信端末は、当該報知情報を受信し、グループ通話への参加要求を送信することによって、グループ通話に途中参加することが可能となる。
【特許文献１】特開２００１−１６８７９３号公報（第５−７頁、第１図、第３図）
【発明の開示】
【０００６】
ところで、グループ通話を実行するアプリケーションとしては、ＰＴＴ（Ｐｕｓｈ−Ｔｏ−Ｔａｌｋ）や、ＩＰ−テレビ電話（以下、ＩＰ−ＴＶ(Internet Protocol-TV (Television) phone or Internet Protocol-Video Phone)）などがある。ＰＴＴは、音声データを送信する権限、すなわち、ユーザが発言する権限（発言権）が、グループ通話に参加している１つの無線通信端末にのみ割り当てられるアプリケーションである。ＩＰ−ＴＶは、音声データだけでなく、映像データも送受信可能なアプリケーションである。
【０００７】
無線通信端末は、グループ通話において実行されているアプリケーションを用いて当該グループ通話に参加する必要がある。また、グループ通話中にアプリケーションが変更されることがある。上述した特許文献１の手法において、呼出し信号を受信できなかった無線通信端末がグループ通話中におけるアプリケーションの変更に対応するためには、制御局装置がグループ通話において実行されているアプリケーションを報知情報によって周期的に無線通信端末に報知することが考えられる。
【０００８】
しかしながら、呼出し信号を受信できなかった無線通信端末は、報知情報を受信してから参加要求を送信するまでに、グループ通話において実行されているアプリケーションが変更されると、当該グループ通話に途中参加することができない問題がある。
【０００９】
なお、報知情報の報知周期を短くすることによって、無線通信端末は、最新のグループ通話の情報を取得できる。しかし、報知情報が通信路を占有する頻度が高くなるため、報知情報によるネットワーク資源の消費量が増大する。
【００１０】
そこで、本発明は、上述した課題を解決するためになされたものであり、無線通信端末がグループ通話に途中参加する場合であっても、当該グループ通話において実行されているアプリケーションを用いて当該グループ通話に参加することを可能とする無線通信システム、当該無線通信システムに用いられる管理サーバ、無線通信端末及び無線通信方法を提供することを目的とする。
【００１１】
本発明の第１の特徴は、複数の無線通信端末（移動局１０）によって構成されるグループ（グループＧ）内での通話が可能なグループ通話を管理する管理サーバ（ＳＩＰサーバ２００）と、前記管理サーバと通信する無線通信端末（移動局１０）とを備える無線通信システム（移動体通信システム１）であって、前記管理サーバは、前記グループ通話への途中参加を要求する途中参加要求（ＩＮＶＩＴＥ（途中参加））を前記無線通信端末から受信する途中参加要求受信部（ＳＩＰ情報受信部２０１）と、前記参加要求受信部が受信した前記途中参加要求に基づいて、前記途中参加要求を送信した前記無線通信端末が実行するアプリケーションを特定し、前記特定したアプリケーションと、前記グループ通話において実行されているアプリケーションである実行中アプリケーションとが一致するか否かを判定する判定部（判定部２０５）と、前記途中参加要求を送信した前記無線通信端末が実行するアプリケーションと、前記実行中アプリケーションとが異なると判定された場合、前記途中参加要求を送信した前記無線通信端末に対し、前記実行中アプリケーションを通知するアプリケーション通知部（ＳＩＰ情報送信部２０６）とを備え、前記無線通信端末は、前記途中参加要求を前記管理サーバに送信する送信部と、前記実行中アプリケーションの通知（応答失敗（ＢＹＥ））を前記管理サーバから受信する受信部と、前記受信部が受信した前記通知に基づき、前記実行中アプリケーションを用いて、前記途中参加要求（ＩＮＶＩＴＥ（途中参加））を前記管理サーバに再送信するように制御する制御部とを備えることを要旨とする。
【００１２】
このような無線通信システムによれば、管理サーバは、無線通信端末から受信した途中参加要求に基づいて、当該無線通信端末が実行するアプリケーションを特定し、特定したアプリケーションと実行中アプリケーションとが異なる場合、実行中アプリケーションを当該無線通信端末に通知する。無線通信端末は、実行中アプリケーションの通知を管理サーバから受信し、当該通知に基づき、実行中アプリケーションを用いて、途中参加要求を管理サーバに再送信する。
【００１３】
したがって、無線通信端末は、グループ通話に途中参加する場合であっても、実行中アプリケーションを用いて当該グループ通話に参加することができる。
【００１４】
本発明の第２の特徴は、複数の無線通信端末によって構成されるグループ内での通話が可能なグループ通話を管理する管理サーバであって、前記グループ通話への途中参加を要求する途中参加要求を無線通信端末から受信する途中参加要求受信部と、前記途中参加要求受信部が受信した前記途中参加要求に基づいて、前記途中参加要求を送信した前記無線通信端末が実行するアプリケーションを特定し、前記特定したアプリケーションと、前記グループ通話において実行されているアプリケーションである実行中アプリケーションとが一致するか否かを判定する判定部と、前記判定部によって、前記途中参加要求を送信した前記無線通信端末が実行するアプリケーションと、前記実行中アプリケーションとが異なると判定された場合、前記途中参加要求を送信した前記無線通信端末に対し、前記実行中アプリケーションを通知するアプリケーション通知部とを備えることを要旨とする。
【００１５】
本発明の第３の特徴は、複数の無線通信端末によって構成されるグループ内での通話が可能なグループ通話を管理する管理サーバと通信する無線通信端末であって、前記グループ通話への途中参加を要求する途中参加要求を前記管理サーバに送信する送信部と、前記グループ通話において実行されているアプリケーションである実行中アプリケーションの通知を前記管理サーバから受信する受信部と、前記受信部が受信した前記通知に基づき、前記実行中アプリケーションを用いて、前記途中参加要求を前記管理サーバに再送信するように制御する（途中参加処理部２５ｂ）とを備えることを要旨とする。
【００１６】
本発明の第４の特徴は、本発明の第３の特徴に係り、ユーザ入力を受付ける操作部（操作部１８）と、前記受信部が受信した前記通知に基づき、前記実行中アプリケーションを示す情報を表示する表示部（表示部１５ｂ）とをさらに備え、前記制御部は、前記表示部による前記実行中アプリケーションを示す情報の表示に基づき、前記途中参加要求を前記管理サーバに再送信する旨の指示が入力された場合、前記実行中アプリケーションを用いて前記途中参加要求を前記管理サーバに再送信することを要旨とする。
【００１７】
本発明の第５の特徴は、本発明の第３の特徴に係り、前記管理サーバとの呼の接続（例えば、セッション）をアプリケーション毎に設定する接続制御部（グループ通話処理部２４）をさらに備え、前記接続制御部は、前記受信部が前記実行中アプリケーションの通知を受信した場合に、前記管理サーバとの呼の接続を切断し、前記制御部は、前記接続制御部によって前記管理サーバとの呼の接続が切断されると、前記実行中アプリケーションを用いて前記途中参加要求を前記管理サーバに再送信するように制御することを要旨とする。
【００１８】
本発明の第６の特徴は、本発明の第３の特徴に係り、前記グループ通話開始時のアプリケーションである初期アプリケーションを識別する初期アプリケーション識別情報を含み、前記管理サーバへの登録を要求する登録要求（ＳＭＳ（登録要求））を受信する登録要求受信部（ＳＭＳ情報取得部２１）と、前記登録要求に含まれる前記初期アプリケーション識別情報を記憶する記憶部（着信履歴格納部２３）とをさらに備え、前記送信部は、前記記憶部が記憶した前記初期アプリケーション識別情報に基づき、前記初期アプリケーションを用いて、前記途中参加要求を前記管理サーバに送信することを要旨とする。
【００１９】
本発明の第７の特徴は、複数の無線通信端末によって構成されるグループ内での通話が可能なグループ通話を管理する管理サーバと、前記管理サーバと通信する無線通信端末とを用いた無線通信方法であって、前記無線通信端末が、前記グループ通話への途中参加を要求する途中参加要求を前記管理サーバに送信するステップ（ステップ２１２）と、前記管理サーバが、前記途中参加要求を前記無線通信端末から受信するステップ（ステップ２１２）と、前記管理サーバが、前記受信するステップにおいて受信した前記途中参加要求に基づいて、前記無線通信端末が実行するアプリケーションを特定するステップ（ステップ３１０）と、前記管理サーバが、前記グループ通話において実行されているアプリケーションである実行中アプリケーションと、前記無線通信端末が実行するアプリケーションとが一致するか否かを判定するステップ（ステップ３１０）と、前記管理サーバが、前記無線通信端末が実行するアプリケーションと、前記実行中アプリケーションとが異なると判定した場合、前記無線通信端末に対して前記実行中アプリケーションを通知するステップ（ステップ３１１）と、前記無線通信端末が、前記実行中アプリケーションの通知を前記管理サーバから受信するステップ（ステップ３１１）と、前記無線通信端末が、前記管理サーバから受信した前記通知に基づき、前記実行中アプリケーションを用いて、前記途中参加要求を前記管理サーバに再送信するステップ（ステップ３１３）とを備えることを要旨とする。
【００２０】
本発明によれば、無線通信端末がグループ通話に途中参加する場合であっても、当該グループ通話において実行されているアプリケーションを用いて当該グループ通話に参加することを可能とする無線通信システム、当該無線通信システムに用いられる管理サーバ、無線通信端末及び無線通信方法を提供することができる。
【図面の簡単な説明】
【００２１】
【図１】図１は、本発明の実施形態に係る移動体通信システムの全体概略構成図である。
【図２】図２は、本発明の実施形態に係る移動局の構成を示すブロック図である。
【図３】図３は、本発明の実施形態に係る移動局が記憶する着信履歴を示す図である。
【図４】図４は、本発明の実施形態に係る移動局のＣＰＵの機能ブロック構成を示すブロック図である。
【図５】図５は、本発明の実施形態に係るＳＩＰサーバが記憶するグループ通話管理情報を示す図である。
【図６】図６は、本発明の実施形態に係るＳＩＰサーバの構成を示すブロック図である。
【図７】図７は、本発明の実施形態に係るＳＭＳサーバの構成を示すブロック図である。
【図８】図８は、本発明の実施形態に係るグループ通話開始動作を示すシーケンス図である。
【図９】図９は、本発明の実施形態に係るアプリケーション変更動作を示すシーケンス図である。
【図１０】図１０は、本発明の実施形態に係る途中参加動作の第１パターンを示すシーケンス図である。
【図１１】図１１は、本発明の実施形態に係る途中参加動作の第２パターンを示すシーケンス図である。
【発明を実施するための最良の形態】
【００２２】
次に、図面を参照して、本発明の実施形態を説明する。以下の実施形態における図面の記載において、同一又は類似の部分には同一又は類似の符号を付している。【００２３】
以下においては、（１）移動体通信システムの構成、（２）移動体通信システムの動作、（３）作用・効果、及び（４）その他の実施形態の順に説明する。【００２４】
（１）移動体通信システムの構成
まず、図１〜図７を用いて、本実施形態に係る移動体通信システム１の構成について説明する。具体的には、（１．１）全体概略構成、（１．２）移動局の構成、（１．３）ＳＩＰサーバの構成、及び（１．４）ＳＭＳサーバの構成について説明する。【００２５】
（１．１）全体概略構成
図１は、移動体通信システム１の全体概略構成図である。移動体通信システム１は、ＳＭＳ（Ｓｈｏｒｔ  Ｍｅｓｓａｇｅ  Ｓｅｒｖｉｃｅ）サーバ１００、ＳＩＰサーバ２００、回線交換網３００、パケット交換網４００、及び移動局１０ａ〜移動局１０ｄを有する。回線交換網３００は基地局３０を含み、パケット交換網４００は基地局４０を含む。以下においては、移動局１０ａ〜移動局１０ｄを総称して移動局１０と呼ぶ。【００２６】
ＳＭＳサーバ１００は、回線交換網３００を介して移動局１０と通信する。ＳＩＰサーバ２００は、パケット交換網４００を介して移動局１０と通信する。また、ＳＭＳサーバ１００及びＳＩＰサーバ２００は互いに通信可能である。移動局１０は、基地局３０及び基地局４０に接続して通信する。【００２７】
回線交換網３００は、回線交換によって通信が行われるネットワーク（例えば、ｃｄｍａ２０００で用いられる１ｘ網）である。回線交換網３００では、移動局１０が通信を行う際に移動局１０のアドレス登録が必要とされない。【００２８】
一方、パケット交換網４００は、パケット交換によって通信が行われるネットワーク（例えば、ｃｄｍａ２０００で用いられるＥＶ−ＤＯ（Ｅｖｏｌｕｔｉｏｎ  Ｄａｔａ  Ｏｐｔｉｍｉｚｅｄ）網）である。パケット交換網４００では、移動局１０が通信を行う際に移動局１０のアドレス登録が必要とされる。【００２９】
本実施形態では、移動局１０は、パケット交換網４００を介してグループ通話を実行する。具体的には、移動局１０ａが、移動局１０ｂ〜１０ｄを呼び出し、移動局１０ｂ〜１０ｄの中から呼び出しに応答した移動局とグループ通話を行う。【００３０】
なお、以下においては、移動局１０ａを適宜「発信側移動局」と呼び、移動局１０ｂ〜１０ｄを適宜「指定移動局」と呼ぶ。また、本実施形態では、グループ通話を実行するアプリケーションとして、ＰＴＴ及びＩＰ−ＴＶが使用される。【００３１】
（１．２）移動局の構成
次に、移動局１０の構成について説明する。具体的には、（１．２．１）移動局のハードウェア構成、（１．２．２）着信履歴の構成、（１．２．３）ＣＰＵの機能ブロック構成について説明する。【００３２】
（１．２．１）移動局のハードウェア構成
図２は、移動局１０のハードウェア構成を示すブロック図である。図２に示すように、移動局１０は、アンテナ１１、ＲＦ／ＩＦ（Ｒａｄｉｏ  Ｆｒｅｑｕｅｎｃｙ／Ｉｎｔｅｒｍｅｄｉａｔｅ  Ｆｒｅｑｕｅｎｃｙ）変換器１２、パワーアンプ１３、音声入出力部１４、映像入出力部１５、コーデック１６、ベースバンドプロセッサ１７、操作部１８、メモリ１９、及びＣＰＵ（制御部）２０を有する。本実施形態においてＲＦ／ＩＦ変換器１２、パワーアンプ１３およびベースバンドプロセッサ１７は、送信部の一部を構成する。また、ＲＦ／ＩＦ変換器１２およびベースバンドプロセッサ１７は、受信部の一部を構成する。【００３３】
アンテナ１１は、基地局３０及び基地局４０に対して信号（送信信号）を送信する。ＲＦ／ＩＦ変換器１２は、アンテナ１１によって受信された受信信号の周波数（ＲＦ帯）をベースバンドプロセッサ１７で扱われる周波数（ＩＦ帯）に変換する。また、ＲＦ／ＩＦ変換器１２は、ベースバンドプロセッサ１７から取得した送信信号の周波数（ＩＦ帯）を無線通信で用いられる周波数（ＲＦ帯）に変換する。なお、ＲＦ／ＩＦ変換器１２は、無線周波数（ＲＦ帯）に変換された送信信号をパワーアンプ１３に入力する。【００３４】
パワーアンプ１３は、ＲＦ／ＩＦ変換器１２から取得した送信信号を増幅して、増幅した送信信号をアンテナ１１に入力する。音声入出力部１４は、音声を入力するマイク１４ａ、及び音声を出力するスピーカ１４ｂを有する。マイク１４ａは、入力された音声に基づいて、音声データをコーデック１６に入力する。スピーカ１４ｂは、コーデック１６から取得した音声データに基づいて、音声を出力する。【００３５】
映像入出力部１５は、被写体を撮像するカメラ１５ａ、及び文字や映像などを表示する表示部１５ｂを有する。カメラ１５ａは、撮像された映像（静止画像や動画像）に基づいて映像データをコーデック１６に入力する。表示部１５ｂは、コーデック１６から取得した映像データに基づいて映像を表示する。なお、表示部１５ｂは、操作部１８を用いて入力される文字なども表示する。【００３６】
コーデック１６は、音声コーデック１６ａ及び映像コーデック１６ｂを有する。音声コーデック１６ａは、例えば、ＩＴＵ−Ｔで規定されたＧ．７２９に従って音声データの符号化及び復号を行う。映像コーデック１６ｂは、例えば、ＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−４などに従って映像データの符号化及び復号を行う。【００３７】
音声コーデック１６ａは、音声入出力部１４から取得した音声信号を符号化し、ベースバンドプロセッサ１７から取得した音声信号を復号する。映像コーデック１６ｂは、映像入出力部１５から取得した映像信号を符号化し、ベースバンドプロセッサ１７から取得した映像信号を復号する。【００３８】
ベースバンドプロセッサ１７は、ＢＰＳＫ（Ｂｉｎａｒｙ  Ｐｈａｓｅ  Ｓｈｉｆｔ  Ｋｅｙｉｎｇ）やＱＰＳＫ（Ｑｕａｄｒａｔｕｒｅ  Ｐｈａｓｅ  Ｓｈｉｆｔ  Ｋｅｙｉｎｇ）などの変調方式に従って、送信信号の変調や受信信号の復調を行う。具体的には、ベースバンドプロセッサ１７は、コーデック１６から取得した音声信号や映像信号などのベースバンド信号を変調して、変調されたベースバンド信号（送信信号）をＲＦ／ＩＦ変換器１２に入力する。また、ベースバンドプロセッサ１７は、ＲＦ／ＩＦ変換器１２から取得した受信信号を復調して、復調された受信信号（ベースバンド信号）をコーデック１６に入力する。【００３９】
ベースバンドプロセッサ１７は、ＣＰＵ２０によって生成された情報（ＳＭＳ情報やＳＩＰ情報）を変調して、変調された情報（送信信号）をＲＦ／ＩＦ変換器１２に入力する。また、ベースバンドプロセッサ１７は、ＲＦ／ＩＦ変換器１２から取得した受信信号を復調して、復調された受信信号（ＳＭＳ情報やＳＩＰ情報）をＣＰＵ２０に入力する。【００４０】
なお、ＳＭＳ情報は、回線交換網３００を通じて送受信される情報である。ＳＩＰ情報は、パケット交換網４００を通じて送受信される情報である。【００４１】
操作部１８は、文字や数字などを入力する入力キー、グループ通話を開始するための発呼キー、及び着信（呼び出し）に応答するための応答キーなどによって構成されたキー群である。また、操作部１８は、各キーが押下されると、押下されたキーに対応する入力信号をＣＰＵ２０に入力する。メモリ１９は、移動局１０の動作を制御するためのプログラム、及び着信履歴やアドレス帳のような各種データなどを記憶する。なお、メモリ１９は、例えば、不揮発性の半導体メモリであるフラッシュメモリや揮発性の半導体メモリであるＳＲＡＭ（Ｓｔａｔｉｃ  Ｒａｎｄｏｍ  Ａｃｃｅｓｓ  Ｍｅｍｏｒｙ）などによって構成される。【００４２】
（１．２．２）着信履歴の構成
次に、メモリ１９に記憶される情報について説明する。メモリ１９は、図３に示すような情報を着信履歴として記憶する。【００４３】
図３に示すように、着信履歴では、発信側移動局、初期指定移動局リスト、グループＩＤ、及び初期アプリケーションが対応付けられている。【００４４】
ここで、発信側移動局の欄は、グループ通話の開始を要求した移動局１０を識別する情報である。【００４５】
初期指定移動局リストは、発信側移動局を識別する情報、及び当該発信側移動局によって指定された指定移動局を識別する情報によって構成されている。なお、図３では、初期指定移動局リスト欄の情報は、各移動局１０の名称であるが、各移動局１０を識別する移動局識別情報（例えば、電話番号）であってもよい。【００４６】
グループＩＤは、開始されるグループ通話を識別する情報である。【００４７】
初期アプリケーションは、グループ通話が開始された時点において使用されているアプリケーション（初期アプリケーション）を識別する情報である。なお、図３では、初期アプリケーション欄の情報は、各アプリケーションの名称であるが、各アプリケーションを識別するＩＤであってもよい。【００４８】
（１．２．３）ＣＰＵのブロック構成
次に、ＣＰＵ（制御部）２０のブロック構成について説明する。図４は、ＣＰＵ２０の構成を示すブロック図である。【００４９】
図４に示すように、ＣＰＵ２０は、ＳＭＳ情報取得部２１、ＳＩＰ情報取得部２２、着信履歴格納部２３、グループ通話処理部２４、メッセージ生成部２５、及びＳＩＰ情報入力部２６を有する。  【００５０】
ＣＰＵ２０は、メモリ１９に記憶されたプログラムに従って、移動局１０（映像入出力部１５、コーデック１６、ベースバンドプロセッサ１７など）の動作を制御する。【００５１】
ＳＭＳ情報取得部２１は、回線交換網３００を通じてＳＭＳサーバ１００から受信したＳＭＳ情報をベースバンドプロセッサ１７から取得して、取得したＳＭＳ情報をグループ通話処理部２４に入力する。ここで、ＳＭＳ情報は、例えば、パケット交換網４００に接続されたＳＩＰサーバ２００へのアドレス登録を要求するアドレス登録要求（以下、ＳＭＳ（登録要求））である。【００５２】
具体的には、ＳＭＳ（登録要求）は、初期指定移動局リストに含まれる移動局１０（本実施形態では、移動局１０ａ〜移動局１０ｄ）をそれぞれ識別する移動局識別情報を含む。【００５３】
また、ＳＭＳ（登録要求）は、開始されるグループ通話を識別するグループＩＤを含む。なお、グループＩＤは、後述するように、ＳＩＰサーバ２００によって生成される。【００５４】
ＳＩＰ情報取得部２２は、パケット交換網４００を通じてＳＩＰサーバ２００から受信したＳＩＰ情報をベースバンドプロセッサ１７から取得して、取得したＳＩＰ情報をグループ通話処理部２４に入力する。【００５５】
ここで、ＳＩＰ情報は、ＩＮＶＩＴＥ（新規）、ＩＮＶＩＴＥ（途中参加）、ＩＮＦＯ（参加者通知）、ＩＮＦＯ（参加者更新通知）、ＩＮＦＯ（アプリケーション変更要求）、及び各種メッセージ（１００Ｔｒｙｉｎｇ、１８０Ｒｉｎｇｉｎｇ、２００ ＯＫ、ＡＣＫ、ＢＹＥなど）である。【００５６】
ここで、ＩＮＶＩＴＥ（新規）は、グループ通話への参加を他の移動局１０に要求するメッセージである。【００５７】
ＩＮＶＩＴＥ（途中参加）は、グループ通話に途中参加することを要求するメッセージである。【００５８】
ＩＮＦＯ（参加者通知）は、新たなグループ通話に参加した移動局１０を示すメッセージである。【００５９】
ＩＮＦＯ（参加者更新通知）は、グループ通話に参加する移動局１０が更新されたことを示すメッセージである。【００６０】
ＩＮＦＯ（アプリケーション変更要求）は、グループ通話で用いられるアプリケーションの変更を要求するメッセージである。【００６１】
着信履歴格納部２３は、ＳＭＳ情報取得部２１から取得したＳＭＳ（登録要求）などに応じて着信履歴をメモリ１９に格納する。具体的には、着信履歴格納部２３は、ＳＭＳ（登録要求）に含まれる移動局識別情報を着信履歴としてメモリ１９に格納する。また、着信履歴格納部２３は、ＳＭＳ（登録要求）に含まれるグループＩＤを着信履歴としてメモリ１９に格納する。【００６２】
グループ通話処理部２４は、ＳＩＰに従って、グループ通話に関する処理を行う。例えば、グループ通話処理部２４は、操作部１８から取得した入力信号に応じて、新たなグループ通話を開始する処理、他の移動局１０からの呼び出しに応答する処理、グループ通話に途中参加する処理、及びグループ通話を終了する処理などを行う。【００６３】
また、グループ通話処理部２４は、ＳＭＳ情報取得部２１から取得したＳＭＳ（登録要求）に応じて、ＳＩＰサーバ２００にアドレスを登録する処理（登録処理）を行う。グループ通話処理部２４は、ＳＩＰ情報取得部２２から取得したＳＩＰ情報に応じてＳＩＰ情報を生成して、生成したＳＩＰ情報をＳＩＰ情報入力部２６に入力する。【００６４】
グループ通話処理部２４は、新たなグループ通話を開始する場合又はグループ通話に途中参加する場合には、ＳＩＰ情報の生成を要求する生成要求をメッセージ生成部２５に入力する。【００６５】
メッセージ生成部２５は、新規処理部２５ａ及び途中参加処理部２５ｂを有し、新規処理部２５ａ及び途中参加処理部２５ｂによって生成されたＳＩＰ情報をＳＩＰ情報入力部２６に入力する。【００６６】
新規処理部２５ａは、新たなグループ通話を開始する場合にグループ通話処理部２４から取得した生成要求に応じて、ＩＮＶＩＴＥ（新規）を生成する。【００６７】
具体的には、新規処理部２５ａは、メモリ１９に記憶されたアドレス帳の中から指定された移動局１０をそれぞれ識別する移動局識別情報をメモリ１９から読み出して、読み出した移動局識別情報を含むＩＮＶＩＴＥ（新規）を生成する。なお、移動局識別情報は、操作部１８によって入力されてもよい。【００６８】
一方、途中参加処理部２５ｂは、グループ通話に途中参加する場合にグループ通話処理部２４から取得した生成要求に応じて、ＩＮＶＩＴＥ（途中参加）を生成する。【００６９】
具体的には、途中参加処理部２５ｂは、メモリ１９に記憶された着信履歴の中からユーザによって指定されたグループＩＤを含むＩＮＶＩＴＥ（途中参加）を生成する。途中参加処理部２５ｂは、着信履歴に含まれる初期アプリケーション識別情報を参照して、グループ通話の着信先として指定された時点でのアプリケーション（初期アプリケーション）によってＩＮＶＩＴＥ（途中参加）を生成する。【００７０】
ＳＩＰ情報入力部２６は、グループ通話処理部２４及びメッセージ生成部２５から取得したＳＩＰ情報をベースバンドプロセッサ１７に入力する。【００７１】
すなわち、本実施形態においてメッセージ生成部２５およびＳＩＰ情報入力部２６は、途中参加要求（ＩＮＶＩＴＥ（途中参加））を送信する送信部の一部を構成する。【００７２】
また、本実施形態においてＣＰＵ（制御部）２０は、上記受信部（ＲＦ／ＩＦ変換器１２、ベースバンドプロセッサ１７）が受信した通知（応答失敗（ＢＹＥ））に基づき、実行中アプリケーションを用いて、途中参加要求（ＩＮＶＩＴＥ（途中参加））を管理サーバ（ＳＩＰサーバ２００）に再送信するように制御する制御部を構成する。【００７３】
（１．３）ＳＩＰサーバの構成
次に、ＳＩＰサーバ２００の構成について説明する。具体的には、（１．３．１）グループ通話管理情報の構成、及び（１．３．２）ＳＩＰサーバの機能ブロック構成について説明する。【００７４】
（１．３．１）グループ通話管理情報の構成
ＳＩＰサーバ２００は、グループ通話を行う移動局１０を管理するため、図５に示すグループ通話管理情報を記憶する。図５（ａ）及び図５（ｂ）は、グループ通話管理情報を示す図である。【００７５】
図５（ａ）及び図５（ｂ）に示すように、グループ通話管理情報では、グループＩＤ、発信側移動局、初期指定移動局リスト、現参加メンバー、実行中アプリケーション、及び通話状態が対応付けられている。【００７６】
グループＩＤは、上述したように、グループ通話を識別するＩＤである。【００７７】
発信側移動局は、上述したように、グループ通話の開始を要求した移動局１０である。【００７８】
初期指定移動局リストは、上述したように、発信側移動局、及び発信側移動局によって指定された指定移動局の識別情報によって構成されている。【００７９】
現参加メンバーは、現在グループ通話に参加している移動局１０である。なお、本実施形態では、上述したように、グループ通話に参加している移動局１０が初期指定移動局リストに含まれない他の移動局１０をグループ通話に参加するように誘うことが可能である。したがって、現参加メンバーには、初期指定移動局リストに含まれない他の移動局１０が含まれる場合がある。【００８０】
具体的には、図５（ａ）に示すように、グループＩＤがＮｏ．００１であるグループ通話の現参加メンバーは、移動局１０ａ〜移動局１０ｃである。一方、図５（ｂ）に示すように、グループ通話に参加する移動局１０が入れ替わることによって、グループＩＤがＮｏ．００１であるグループ通話の現参加メンバーが、移動局１０ａ、移動局１０ｅ及び移動局１０ｆとなる場合がある。【００８１】
また、図５（ｂ）に示すように、グループＩＤがＮｏ．００１であるグループ通話の初期指定移動局リストは、グループＩＤがＮｏ．００３であるグループ通話の初期指定移動局リストと同一である。しかしながら、グループ通話（Ｎｏ．００１）に参加する移動局１０が初期指定移動局リストから入れ替わったり、現参加メンバーがグループ通話を行っている途中で、初期指定移動局リストがＮｏ．００１と同一の新たなグループ通話（Ｎｏ．００３）が開始した場合には、初期指定移動局リストが同一である複数のグループ通話が同時に継続する場合がある。【００８２】
本実施形態では、初期指定移動局リストが同一である複数のグループ通話が同時に継続する場合であっても、グループＩＤによって各グループ通話が一意に成立し、管理される。【００８３】
実行中アプリケーションは、グループ通話を実行しているアプリケーションを識別するアプリケーション識別情報である。【００８４】
（１．３．２）ＳＩＰサーバのブロック構成
図６は、ＳＩＰサーバ２００の構成を示すブロック図である。【００８５】
図６に示すように、ＳＩＰサーバ２００は、ＳＩＰ情報受信部２０１、グループ通話処理部２０２、グループ通話管理ＤＢ２０３、ＳＭＳ送信要求部２０４、判定部２０５、及びＳＩＰ情報送信部２０６を有する。【００８６】
ＳＩＰ情報受信部２０１は、パケット交換網４００を通じて移動局１０からＳＩＰ情報を受信する。【００８７】
グループ通話処理部２０２は、ＳＩＰに従って、グループ通話に関する処理を行う。例えば、グループ通話処理部２０２は、ＩＮＶＩＴＥ（新規）がＳＩＰ情報受信部２０１によって受信されると、初期指定移動局リストに含まれる移動局１０をそれぞれ識別する移動局識別情報をグループ通話管理ＤＢ２０３に格納する。【００８８】
続いて、グループ通話処理部２０２は、グループ通話を識別するグループＩＤを生成して、生成したグループＩＤをグループ通話管理ＤＢ２０３に格納する。さらに、グループ通話処理部２０２は、移動局１０においてＩＮＶＩＴＥ（新規）の送信に使用された、グループ通話を実行するアプリケーションを識別するアプリケーション識別情報をグループ通話管理ＤＢ２０３に格納する。【００８９】
グループ通話処理部２０２は、ＩＮＶＩＴＥ（新規）がＳＩＰ情報受信部２０１によって受信されると、ＳＩＰサーバ２００へのアドレス登録を要求するＳＭＳ情報の送信を要求するＳＭＳ送信要求を生成して、生成したＳＭＳ送信要求をＳＭＳ送信要求部２０４に入力する。【００９０】
なお、ＳＭＳ送信要求は、初期指定移動局リストに含まれる移動局１０をそれぞれ識別する移動局識別情報に加えて、グループ通話を識別するグループＩＤを含む。【００９１】
グループ通話処理部２０２は、グループ通話に移動局１０が参加したことを示すＳＩＰ情報（２００ ＯＫ）がＳＩＰ情報受信部２０１によって受信されると、グループ通話管理ＤＢ２０３に記憶された情報を更新する。続いて、グループ通話処理部２０２は、ＩＮＦＯ（参加者通知）を生成して、生成したＳＩＰ情報をＳＩＰ情報送信部２０６に入力する。【００９２】
グループ通話処理部２０２は、グループ通話に移動局１０が途中参加したことを示すＳＩＰ情報（２００ ＯＫ）がＳＩＰ情報受信部２０１によって受信されると、グループ通話管理ＤＢ２０３に記憶された情報を更新する。続いて、グループ通話処理部２０２は、ＩＮＦＯ（参加者更新通知）を生成して、生成したＳＩＰ情報をＳＩＰ情報送信部２０６に入力する。【００９３】
グループ通話処理部２０２は、グループ通話から移動局１０が外れたことを示すＳＩＰ情報（ＢＹＥ）がＳＩＰ情報受信部２０１によって受信されると、グループ通話管理ＤＢ２０３に記憶された情報を更新する。続いて、グループ通話処理部２０２は、ＩＮＦＯ（参加者更新通知）を生成して、生成したＳＩＰ情報をＳＩＰ情報送信部２０６に入力する。【００９４】
グループ通話処理部２０２は、ＩＮＶＩＴＥ（途中参加）がＳＩＰ情報受信部２０１によって受信されると、ＩＮＶＩＴＥ（途中参加）に含まれるグループＩＤを判定部２０５に入力する。【００９５】
グループ通話処理部２０２は、グループ通話を実行するアプリケーションを変更するために、それまでグループ通話を実行していたアプリケーションを終了したことを示すＳＩＰ情報（２００ ＯＫ）をＳＩＰ情報受信部２０１が受信すると、グループ通話管理ＤＢ２０３に記憶されたアプリケーション識別情報を変更後のアプリケーションに対応する情報に更新する。【００９６】
ＳＭＳ送信要求部２０４は、グループ通話処理部２０２から取得したＳＭＳ送信要求をＳＭＳサーバ１００に送信する。【００９７】
判定部２０５は、ＩＮＶＩＴＥ（途中参加）を送信した移動局１０の途中参加が可能か否かを判定する。具体的には、判定部２０５は、グループ通話処理部２０２から取得したグループＩＤによって特定されるグループ通話が継続しているか否かを判定する。【００９８】
なお、判定部２０５は、グループＩＤによって特定されるグループ通話が継続している場合には移動局１０の途中参加が可能であると判定し、グループＩＤによって特定されるグループ通話が終了している場合には移動局１０の途中参加が不可能であると判定する。【００９９】
また、判定部２０５は、グループ通話を実行しているアプリケーションとＩＮＶＩＴＥ（途中参加）の送信に使用されたアプリケーションが一致するか否かを判定する。具体的には、判定部２０５は、グループ通話管理ＤＢ２０３に記憶されている、グループ通話を実行しているアプリケーションを示すアプリケーション識別情報と、移動局においてＩＮＶＩＴＥ（途中参加）の送信に使用されたアプリケーションを示すアプリケーション識別情報とが一致するか否かを判定する。【０１００】
なお、アプリケーションを実行するためのシステム（サーバなど）がアプリケーション毎に異なる場合、途中参加要求の送信に使用されたアプリケーションを実行するシステムで途中参加を希望するグループ通話が行われているか否かが判定される。【０１０１】
一方、同じシステムを用いて複数のアプリケーションが実行される場合、同じシステム内でどのアプリケーションが使用されているかが判定される。【０１０２】
ＳＩＰ情報送信部２０６は、グループ通話処理部２０２から取得したＳＩＰ情報（ＩＮＶＩＴＥ（新規）、ＩＮＶＩＴＥ（途中参加）、１００Ｔｒｙｉｎｇ、１８０Ｒｉｎｇｉｎｇ、２００ＯＫ、ＢＹＥ、ＡＣＫ、ＩＮＦＯなど）を、パケット交換網４００を通じて移動局１０に送信する。【０１０３】
（１．４）ＳＭＳサーバの構成
次に、ＳＭＳサーバ１００の構成について説明する。図７は、ＳＭＳサーバ１００の構成を示すブロック図である。【０１０４】
図７に示すように、ＳＭＳサーバ１００は、ＳＭＳ送信要求受信部１０１、ＳＭＳ情報生成部１０２、及びＳＭＳ情報送受信部１０３を有する。【０１０５】
ＳＭＳ送信要求受信部１０１は、ＳＩＰサーバ２００へのアドレス登録を要求するＳＭＳ情報の送信を要求するＳＭＳ送信要求をＳＩＰサーバ２００から受信する。なお、ＳＭＳ送信要求は、上述したように、初期指定移動局リストに含まれる移動局１０をそれぞれ識別する移動局識別情報に加えて、グループによって開始されるグループ通話を識別するグループＩＤを含む。【０１０６】
ＳＭＳ情報生成部１０２は、ＳＭＳ送信要求受信部１０１によって受信されるＳＭＳ送信要求に応じて、各移動局１０に送信するＳＭＳ情報を生成する。具体的には、ＳＭＳ情報生成部１０２は、ＳＩＰサーバ２００へのアドレス登録を要求するＳＭＳ（登録要求）を生成する。【０１０７】
ＳＭＳ（登録要求）は、初期指定移動局リストに含まれる移動局１０をそれぞれ識別する移動局識別情報に加えて、グループによって開始されるグループ通話を識別するグループＩＤ、及び初期アプリケーション識別情報を含む。【０１０８】
ＳＭＳ情報送受信部１０３は、ＳＭＳ情報生成部１０２によって生成されたＳＭＳ情報を、回線交換網３００を通じて移動局１０に送信する。具体的には、ＳＭＳ情報送受信部１０３は、ＳＭＳ情報生成部１０２によって生成されたＳＭＳ（登録要求）を、初期指定移動局リストに含まれる指定移動局に回線交換網３００を通じて送信する。【０１０９】
（２）移動体通信システムの動作
次に、図８〜・BR>}１１を用いて、移動体通信システム１の動作について説明する。具体的には、（２．１）グループ通話開始動作、（２．２）アプリケーション変更動作、及び（２．３）途中参加動作について説明する。【０１１０】
グループ通話開始動作は、発信側移動局と、発信側移動局によって指定された指定移動局のうち、発信側移動局からの呼び出しに応答した移動局１０とを含むグループにおいてグループ通話が開始するまでの動作である。【０１１１】
アプリケーション変更動作は、グループ通話を実行するアプリケーションが、アプリケーション１（例えば、ＩＰ−ＴＶ (Internet Protocol-TV (Television) phone or Internet Protocol-Video Phone)）からアプリケーション２（例えば、ＰＴＴ(Push To Talk)）に変更される動作である。【０１１２】
途中参加動作は、初期指定移動局リストに含まれる移動局１０が、グループ通話に途中参加する動作である。【０１１３】
（２．１）グループ通話開始動作
図８は、グループ通話開始動作を示すシーケンス図である。【０１１４】
ステップ（図中“Ｓ”と略記する）１０において、移動局１０ａは、ＳＩＰサーバ２００にログインする。具体的には、移動局１０ａは、移動局１０ａのアドレスをＳＩＰサーバ２００に登録する処理（アドレス登録）を行う。【０１１５】
ステップ１１において、移動局１０ａは、新たなグループ通話を開始するために、ＩＮＶＩＴＥ（新規）をＳＩＰサーバ２００に送信する。ここで、ＩＮＶＩＴＥ（新規）は、移動局１０ａを識別する移動局識別情報（例えば、電話番号）に加えて、移動局１０ｂ〜移動局１０ｄをそれぞれ識別する移動局識別情報を含む。【０１１６】
ステップ１２において、ＳＩＰサーバ２００は、ＩＮＶＩＴＥ（新規）に応じて移動局１０ｂ〜移動局１０ｄの呼び出し処理を開始したことを示す暫定応答（１００Ｔｒｙｉｎｇ）を移動局１０ａに送信する。【０１１７】
ステップ１３において、ＳＩＰサーバ２００は、移動局１０ａ〜移動局１０ｄを指定移動局とするグループ通話を識別するグループＩＤを生成する。【０１１８】
ステップ１４において、ＳＩＰサーバ２００は、ＳＩＰサーバ２００へのアドレス登録を要求するＳＭＳ（登録要求）の送信を要求するＳＭＳ送信要求をＳＭＳサーバ１００に送信する。ここで、ＳＭＳ送信要求は、移動局１０ａ〜移動局１０ｄをそれぞれ識別する移動局識別情報に加えて、ステップ１３で生成されたグループＩＤを含む。【０１１９】
ステップ１５ｂ〜ステップ１５ｄにおいて、ＳＭＳサーバ１００は、ＳＩＰサーバ２００へのアドレス登録を要求するＳＭＳ（登録要求）を、回線交換網３００を通じて移動局１０ｂ〜移動局１０ｄに送信する。ここで、ＳＭＳ（登録要求）は、移動局１０ａ〜移動局１０ｄをそれぞれ識別する移動局識別情報及びステップ１３で生成されたグループＩＤを含む。【０１２０】
ステップ１６ｂ〜ステップ１６ｄにおいて、移動局１０ｂ〜移動局１０ｄは、ＳＭＳ（登録要求）に含まれる移動局識別情報、グループＩＤ、及び初期アプリケーション識別情報を着信履歴として記憶する。【０１２１】
ステップ１７ｂ〜ステップ１７ｄにおいて、移動局１０ｂ〜移動局１０ｄは、パケット交換網４００に接続されたＳＩＰサーバ２００にログインする。具体的には、移動局１０ｂ〜移動局１０ｄは、移動局１０ｂ〜移動局１０ｄのアドレスをＳＩＰサーバ２００に登録する登録処理を行う。【０１２２】
ステップ１８ｂ〜ステップ１８ｄにおいて、ＳＩＰサーバ２００は、移動局１０ａから受信したＩＮＶＩＴＥ（新規）に応じて、移動局１０ｂ〜移動局１０ｄを呼び出すために、ＩＮＶＩＴＥ（新規）を、パケット交換網４００を通じて移動局１０ｂ〜移動局１０ｄに送信する。【０１２３】
ステップ１９ｂ〜ステップ１９ｄにおいて、移動局１０ｂ〜移動局１０ｄは、ＩＮＶＩＴＥ（新規）を着信したことを示す暫定応答（１００Ｔｒｙｉｎｇ）をＳＩＰサーバ２００に送信する。【０１２４】
ステップ２０ｂ〜ステップ２０ｄにおいて、移動局１０ｂ〜移動局１０ｄは、ＩＮＶＩＴＥ（新規）に応じて、着信処理を進めていることを示す暫定応答（１８０Ｒｉｎｇｉｎｇ）をＳＩＰサーバ２００に送信する。【０１２５】
ステップ２１ｂ〜ステップ２１ｃにおいて、移動局１０ｂ〜移動局１０ｃは、ＩＮＶＩＴＥ（新規）に応答する。具体的には、移動局１０ｂ〜移動局１０ｃのユーザは、移動局１０ａからの呼び出しに気づいて、応答キーなどを押下する応答処理を行う。一方、ステップ２１ｄにおいて、移動局１０ｄは、ＩＮＶＩＴＥ（新規）に応答しない。具体的には、移動局１０ｄのユーザは、移動局１０ａからの呼び出しに対し、応答キーなどを押下する応答処理を行わない。【０１２６】
ステップ２２において、ＳＩＰサーバ２００は、移動局１０ｂ〜移動局１０ｄを呼び出していることを示す暫定応答（１８０ｒｉｎｇｉｎｇ）を移動局１０ａに送信する。【０１２７】
ステップ２３ｂ及びステップ２３ｃにおいて、移動局１０ｂ及び移動局１０ｃは、ＩＮＶＩＴＥ（新規）に応答したことを示す応答成功（２００ ＯＫ）をＳＩＰサーバ２００に送信する。【０１２８】
ステップ２４において、ＳＩＰサーバ２００は、移動局１０ｂ〜移動局１０ｄのうち、いずれかの移動局１０がＩＮＶＩＴＥ（新規）に応答したことを示す応答成功（２００ ＯＫ）を移動局１０ａに送信する。【０１２９】
ステップ２５において、移動局１０ｄは、ＳＩＰサーバ２００へのアドレス登録を解除するアドレス解除処理を行う。【０１３０】
ステップ２６ａにおいて、移動局１０ａは、新たなグループ通話を開始することが可能であることを確認するためのＡＣＫをＳＩＰサーバ２００に送信する。同様に、ステップ２６ｂ及びステップ２６ｃにおいて、ＳＩＰサーバ２００は、新たなグループ通話を開始することが可能であることを確認するためのＡＣＫを移動局１０ｂ及び移動局１０ｃに送信する。【０１３１】
ステップ２７ａ〜ステップ２７ｃにおいて、ＳＩＰサーバ２００は、新たなグループ通話に参加した移動局１０をそれぞれ識別する移動局識別情報（例えば、電話番号やＳＩＰアドレス）を含むＩＮＦＯ（参加者通知）を移動局１０ａ〜移動局１０ｃに送信する。ステップ２８ａ〜ステップ２８ｃにおいて、移動局１０ａ〜移動局１０ｃは、ＩＮＦＯ（参加者通知）を受信したことを示す応答成功（２００ＯＫ）をＳＩＰサーバ２００に送信する。【０１３２】
ステップ２９において、移動局１０ａ〜移動局１０ｃは、移動局１０ａ〜移動局１０ｃを参加メンバーとするグループ通話（移動局１０ａ、移動局１０ｂ、移動局１０ｃ）を開始する。【０１３３】
（２．２）アプリケーション変更動作
図９は、アプリケーション変更動作を示すシーケンス図である。なお、図９は、図８に示したステップ２９に続く処理である。【０１３４】
ステップ２９において、移動局１０ａ〜移動局１０ｃを参加メンバーとするグループ通話が継続している。当該グループ通話では、アプリケーション１が用いられている。【０１３５】
ステップ１１０において、移動局１０ａは、グループ通話で用いられるアプリケーションをアプリケーション１からアプリケーション２に変更することを要求するＩＮＦＯ（アプリケーション変更要求）をＳＩＰサーバ２００に送信する。【０１３６】
アプリケーションが変更されるケースとしては、ＩＰ−ＴＶでグループ通話を行っている場合に、電波状況の悪化によって、映像データの受信強度が所定の閾値よりも小さくなるケースなどが想定される。このようなケースでは、映像データよりもデータ量が少ない音声データを用いるＰＴＴにアプリケーションが変更される。【０１３７】
また、アプリケーションが変更されるケースとしては、ＰＴＴでグループ通話を行っている場合に、電波状況の改善によって、音声データの受信強度が所定の閾値よりも大きくなるケースなども想定される。このようなケースでは、音声データよりもデータ量が多い映像データを用いるＩＰ−ＴＶにアプリケーションが変更される。【０１３８】
さらに、グループ通話で用いられるアプリケーションは、ユーザのニーズに応じて変更される。【０１３９】
ステップ１１１ｂ及びステップ１１１ｃにおいて、ＳＩＰサーバ２００は、移動局１０ａから受信したＩＮＦＯ（アプリケーション変更要求）を移動局１０ｂ及び移動局１０ｃに送信する。【０１４０】
ステップ１１２ｂ及びステップ１１２ｃにおいて、移動局１０ｂ及び移動局１０ｃは、ＩＮＦＯ（アプリケーション変更要求）を受信したことを示す応答成功（２００ ＯＫ）をＳＩＰサーバ２００に送信する。【０１４１】
ステップ１１３において、ＳＩＰサーバ２００は、移動局１０ｂ及び移動局１０ｃがＩＮＦＯ（アプリケーション変更要求）を受信したことを示す応答成功（２００ ＯＫ）を移動局１０ａに送信する。【０１４２】
ステップ１１４において、移動局１０ａは、アプリケーション１の終了を要求する終了要求（ＢＹＥ）をＳＩＰサーバ２００に送信する。【０１４３】
ステップ１１５ｂ及びステップ１１５ｃにおいて、ＳＩＰサーバ２００は、アプリケーション１の終了を要求する終了要求（ＢＹＥ）を移動局１０ｂ及び移動局１０ｃに送信する。【０１４４】
ステップ１１６ｂ及びステップ１１６ｃにおいて、移動局１０ｂ及び移動局１０ｃは、終了要求（ＢＹＥ）を受信したことを示す応答成功（２００ ＯＫ）をＳＩＰサーバ２００に送信する。【０１４５】
ステップ１１７において、ＳＩＰサーバ２００は、移動局１０ｂ及び移動局１０ｃがアプリケーション１を終了したことを示す応答成功（２００ ＯＫ）を移動局１０ａに送信する。【０１４６】
ステップ１１８において、移動局１０ａ〜移動局１０ｃは、アプリケーション２のセットアップ処理を行う。【０１４７】
ステップ１１９において、移動局１０ａ〜移動局１０ｃは、アプリケーション２を用いてグループ通話（移動局１０ａ、移動局１０ｂ、移動局１０ｃ）を開始する。グループ通話の参加メンバーは、ステップ２９と同様に移動局１０ａ〜移動局１０ｃである。【０１４８】
（２．３）途中参加動作
次に、途中参加動作について説明する。具体的には、（２．３．１）途中参加動作の第１パターン、及び（２．３．２）途中参加動作の第２パターンについて説明する。【０１４９】
途中参加動作の第１パターンは、グループ通話において実行中のアプリケーション（実行中アプリケーション）と、移動局１０が途中参加の要求に使用したアプリケーション（初期アプリケーション）とが一致する場合の動作である。【０１５０】
途中参加動作の第２パターンは、グループ通話において実行中のアプリケーションと、移動局１０が途中参加の要求に使用したアプリケーションとが一致しない場合の動作である。【０１５１】
（２．３．１）途中参加動作の第１パターン
図１０は、途中参加動作の第１パターンを示すシーケンス図である。なお、図１０は、図８に示したステップ２９に続く処理を示している。【０１５２】
ステップ２９において、移動局１０ａ〜移動局１０ｃを参加メンバーとするグループ通話が継続している。【０１５３】
ステップ２１０において、移動局１０ｄは、グループ通話に途中参加するために、途中参加処理を行う。具体的には、移動局１０ｄのユーザは、メモリ１９に記憶された着信履歴の中から所望のグループ通話を選択して、発呼キーなどを押下する処理を行う。【０１５４】
ステップ２１１において、移動局１０ｄは、パケット交換網４００に接続されたＳＩＰサーバ２００にログインする。具体的には、移動局１０ｄは、移動局１０ｄのアドレスをＳＩＰサーバ２００に登録する処理（登録処理）を行う。【０１５５】
ステップ２１２において、移動局１０ｄは、ステップ２１０で選択された所望のグループ通話に参加することを要求するＩＮＶＩＴＥ（途中参加）を、パケット交換網４００を通じてＳＩＰサーバ２００に送信する。ここで、ＩＮＶＩＴＥ（途中参加）は、所望のグループ通話に対応するグループＩＤを含む。ＩＮＶＩＴＥ（途中参加）の送信は、メモリ１９に着信履歴として記憶されている初期アプリケーション識別情報が示す初期アプリケーションを使用して行われる。【０１５６】
ステップ２１３において、ＳＩＰサーバ２００は、ＩＮＶＩＴＥ（途中参加）に含まれるグループＩＤに対応するグループ通話への途中参加が可能か否か、及びＩＮＶＩＴＥ（途中参加）の送信に使用されたアプリケーションがグループ通話を実行しているアプリケーションと一致するか否かを判定する。【０１５７】
具体的には、ＳＩＰサーバ２００は、グループＩＤに対応するグループ通話が継続している場合には、移動局１０ｄの途中参加が可能であると判定する。一方、ＳＩＰサーバ２００は、グループＩＤに対応するグループ通話が終了している場合には、移動局１０ｄの途中参加が不可能であると判定する。【０１５８】
また、ＳＩＰサーバ２００は、ＩＮＶＩＴＥ（途中参加）の送信に使用されたアプリケーションの識別情報とグループ通話を実行しているアプリケーションの識別情報とが一致するか否かを判定する。この判定は、例えば、移動局１０ｄがＩＮＶＩＴＥ（途中参加）に、当該ＩＮＶＩＴＥ（途中参加）情報の送信に使用したアプリケーションの識別情報を含めることにより、ＳＩＰサーバ２００が、ＩＮＶＩＴＥ（途中参加）に含まれる識別情報と、グループ通話を実行しているアプリケーションの識別情報とを比較して行う。【０１５９】
なお、図１０では、移動局１０ａ〜移動局１０ｃを参加メンバーとするグループ通話が継続しているため、移動局１０ｄの途中参加が可能であると判定される。また、グループ通話を実行しているアプリケーションと、ＩＮＶＩＴＥ（途中参加）の送信に使用されたアプリケーションは一致すると判定される。【０１６０】
ステップ２１４において、ＳＩＰサーバ２００は、ＩＮＶＩＴＥ（途中参加）に応じて、移動局１０ｄの途中参加処理を開始したことを示す暫定応答（１００Ｔｒｙｉｎｇ）を移動局１０ｄに送信する。【０１６１】
ステップ２１５において、ＳＩＰサーバ２００は、移動局１０ａを呼び出していることを示す暫定応答（１８０Ｒｉｎｇｉｎｇ）を移動局１０ｄに送信する。なお、暫定応答（１８０Ｒｉｎｇｉｎｇ）は、グループ通話に参加している移動局１０をそれぞれ識別する移動局識別情報（例えば、電話番号やＳＩＰアドレス）を含む。【０１６２】
ステップ２１６において、移動局１０ｄは、グループ通話に参加している移動局１０をそれぞれ識別する移動局識別情報を表示する。具体的には、移動局１０ｄは、「現在グループ通話の参加者は移動局１０ａ、移動局１０ｂ、移動局１０ｃです。」といった情報を表示する。【０１６３】
ステップ２１７において、ＳＩＰサーバ２００は、ＩＮＦＯ（参加者更新通知）を移動局１０ａに送信する。なお、ＩＮＦＯ（参加者更新通知）は、移動局１０ｄがグループ通話に途中参加したことを示す情報（移動局１０ｄを識別する移動局識別情報）を含む。【０１６４】
なお、ＳＩＰサーバ２００は、移動局１０ｄの途中参加を許可するか否かを判定してもよい。この場合、ＳＩＰサーバ２００は、グループ通話管理情報の指定移動局リストに基づいて、移動局１０ｄの途中参加を許可するか否かを判定する。すなわち、ＳＩＰサーバ２００は、移動局１０ｄがグループ通話管理情報の指定移動局リストに含まれない場合には、移動局１０ｄの途中参加を拒否する。【０１６５】
ステップ２１８において、移動局１０ａは、ＩＮＦＯ（参加者更新通知）を受信したことを示す応答成功（２００ ＯＫ）をＳＩＰサーバ２００に送信する。【０１６６】
ここで、移動局１０ａは、移動局１０ｄがグループ通話に途中参加することを許可するか否かを判定してもよい。具体的には、移動局１０ａは、「移動局１０ｄの途中参加を許可しますか？」といった情報を表示する。そして、移動局１０ａは、ユーザからの操作に応じて、移動局１０ｄの途中参加を許可するか否かを判定する。【０１６７】
あるいは、移動局１０ａは、グループ通話開始時の指定移動局に移動局１０ｄが含まれるか否かに応じて、移動局１０ｄの途中参加を許可するか否かを判定する。すなわち、移動局１０ａは、グループ通話開始時の指定移動局に移動局１０ｄが含まれていない場合には、移動局１０ｄの途中参加を拒否する。【０１６８】
ステップ２１９において、ＳＩＰサーバ２００は、移動局１０ｄの途中参加が認められたことを示す応答成功（２００ ＯＫ）を移動局１０ｄに送信する。【０１６９】
ステップ２２０ｂ及びステップ２２０ｃにおいて、ＳＩＰサーバ２００は、ＩＮＦＯ（参加者更新通知）を移動局１０ｂ及び移動局１０ｃに送信する。ステップ２２１ｂ及びステップ２２１ｃにおいて、移動局１０ｂ及び移動局１０ｃは、ＩＮＦＯ（参加者更新通知）を受信したことを示す応答成功（２００ ＯＫ）をＳＩＰサーバ２００に送信する。【０１７０】
ステップ２２０ｄにおいて、ＳＩＰサーバ２００は、グループ通話に参加する移動局１０をそれぞれ識別する移動局識別情報を含むＩＮＦＯ（参加者通知）を移動局１０ｄに送信する。ステップ２２１ｄにおいて、移動局１０ｄは、ＩＮＦＯ（参加者通知）を受信したことを示す応答成功（２００  ＯＫ）をＳＩＰサーバ２００に送信する。【０１７１】
ステップ２２２において、移動局１０ａ〜移動局１０ｄは、移動局１０ａ〜移動局１０ｄを参加メンバーとするグループ通話を開始する。【０１７２】
（２．３．２）途中参加動作の第２パターン
次に、途中参加動作の第２パターンについて説明する。図１１は、途中参加動作の第２パターンを示すシーケンス図である。【０１７３】
なお、図１１は、図９に示したステップ１１９に続く処理、すなわち、アプリケーション変更後の処理を示している。以下では、図１０と異なる処理について説明し、重複する説明を省略する。【０１７４】
ステップ１１９において、移動局１０ａ〜移動局１０ｃを参加メンバーとするグループ通話が継続している。【０１７５】
ステップ２１０〜ステップ２１２の各処理は、図１０と同様にして実行される。【０１７６】
ステップ３１０において、ＳＩＰサーバ２００は、ＩＮＶＩＴＥ（途中参加）に含まれるグループＩＤに対応するグループ通話への途中参加が可能か否か、及び移動局１０においてＩＮＶＩＴＥ（途中参加）の送信に使用されたアプリケーションがグループ通話を実行しているアプリケーションと一致するか否かを判定する。【０１７７】
図１１では、移動局１０ａ〜移動局１０ｃを参加メンバーとするグループ通話が継続しているため、ＳＩＰサーバ２００は、移動局１０ｄの途中参加が可能であると判定する。また、ＳＩＰサーバ２００は、移動局１０においてＩＮＶＩＴＥ（途中参加）の送信に使用されたアプリケーションの識別情報とグループ通話を実行しているアプリケーションの識別情報とが一致しないと判定する。【０１７８】
ステップ３１１において、ＳＩＰサーバ２００は、移動局１０ｄがＩＮＶＩＴＥ（途中参加）の送信に使用したアプリケーションと、グループ通話において実行されているアプリケーションとが一致しないことを示す応答失敗（ＢＹＥ）を移動局１０ｄに送信する。【０１７９】
なお、応答失敗（ＢＹＥ）は、グループ通話において実行されているアプリケーション識別情報、及びグループ通話に参加している移動局１０をそれぞれ識別する移動局識別情報を含む。【０１８０】
ステップ３１２において、移動局１０ｄは、移動局１０ｄがＩＮＶＩＴＥ（途中参加）の送信に使用したアプリケーションと、グループ通話において実行されているアプリケーションとが一致しないこと示す情報を表示する。【０１８１】
具体的には、移動局１０ｄは、「グループ通話で使用中のアプリケーションが変更されています。変更後のアプリケーションで接続します。」といった情報を表示する。なお、この情報は、必ずしも表示する必要はない。【０１８２】
また、移動局１０ｄは、グループ通話に参加している移動局１０をそれぞれ識別する移動局識別情報（例えば、電話番号やＳＩＰアドレス）を表示する。具体的には、移動局１０ｄは、「現在グループ通話の参加者は移動局１０ａ、移動局１０ｂ、移動局１０ｃです。」といった情報を表示する。【０１８３】
ステップ３１３において、移動局１０ｄは、グループ通話において実行されているアプリケーションを使用して、ステップ２１０で選択された所望のグループ通話に参加することを要求するＩＮＶＩＴＥ（途中参加）を、パケット交換網４００を通じてＳＩＰサーバ２００に送信する。ここで、ＩＮＶＩＴＥ（途中参加）は、所望のグループ通話に対応するグループＩＤを含む。【０１８４】
ステップ３１４において、ＳＩＰサーバ２００は、ステップ３１０と同様に、ＩＮＶＩＴＥ（途中参加）に含まれるグループＩＤに対応するグループ通話への途中参加が可能か否か、及び移動局１０においてＩＮＶＩＴＥ（途中参加）の送信に使用されたアプリケーションがグループ通話を実行しているアプリケーションと一致するか否かを判定する。【０１８５】
図１１では、移動局１０ｄの途中参加が可能であると判定される。また、移動局１０においてＩＮＶＩＴＥ（途中参加）の送信に使用されたアプリケーションの識別情報と、グループ通話を実行しているアプリケーションの識別情報とが一致すると判定される。【０１８６】
ステップ２１４において、ＳＩＰサーバ２００は、ＩＮＶＩＴＥ（途中参加）に応じて、移動局１０ｄの途中参加処理を開始したことを示す暫定応答（１００Ｔｒｙｉｎｇ）を移動局１０ｄに送信する。【０１８７】
ステップ２１５において、ＳＩＰサーバ２００は、移動局１０ａを呼び出していることを示す暫定応答（１８０Ｒｉｎｇｉｎｇ）を移動局１０ｄに送信する。【０１８８】
ステップ２１７〜ステップ２２２の各処理は、図１０と同様にして実行される。【０１８９】
（３）作用・効果
以上説明したように、本実施形態によれば、移動局１０によって構成されるグループ内での通話が可能なグループ通話を管理するＳＩＰサーバ２００は、ＳＩＰ情報受信部２０１、グループ通話処理部２０２、判定部２０５、及びＳＩＰ情報送信部２０６を備える。【０１９０】
ＳＩＰ情報受信部２０１は、グループ通話への参加を要求するＩＮＶＩＴＥ（途中参加）を移動局１０から受信する。グループ通話処理部２０２は、ＳＩＰ情報受信部２０１が受信したＩＮＶＩＴＥ（途中参加）に基づいて、ＩＮＶＩＴＥ（途中参加）を送信した移動局１０が実行するアプリケーションを判定する。判定部２０５は、グループ通話において実行中のアプリケーションと、ＩＮＶＩＴＥ（途中参加）を送信した移動局１０が実行するアプリケーションとが一致するか否かを判定する。【０１９１】
グループ通話において実行中のアプリケーションと、ＩＮＶＩＴＥ（途中参加）を送信した移動局１０が実行するアプリケーションとが異なる場合、ＳＩＰ情報送信部２０６は、応答失敗（ＢＹＥ）を用いて、グループ通話において実行中のアプリケーションを、ＩＮＶＩＴＥ（途中参加）を送信した移動局１０に対して送信する。【０１９２】
移動局１０の制御部（ＣＰＵ）である途中参加処理部２５ｂは、応答失敗（ＢＹＥ）に含まれる実行中アプリケーションの識別情報に基づき、当該実行中アプリケーションを用いて、ＩＮＶＩＴＥ（途中参加）を管理サーバに再送信するように制御する。【０１９３】
したがって、移動局１０は、グループ通話に途中参加する場合であっても、当該グループ通話において実行されているアプリケーションを用いて当該グループ通話に参加することができる。具体的には、移動局１０は、グループ通話を実行するアプリケーションがグループ通話開始時から変更された場合にも、変更後のアプリケーションを用いて当該グループ通話に途中参加することが可能となる。【０１９４】
また、本実施形態によれば、移動局１０は、表示部１５ｂ及び操作部１８を備える。表示部１５ｂは、ＳＩＰサーバ２００から受信した応答失敗（ＢＹＥ）に基づき、グループ通話において実行中のアプリケーションを示す情報を表示する。操作部１８は、表示部１５ｂによってアプリケーションを示す情報が表示された後、ＩＮＶＩＴＥ（途中参加）をＳＩＰサーバ２００に送信するか否かの操作をユーザから受付ける。移動局１０の途中参加処理部２５ｂは、操作部１８が、ＩＮＶＩＴＥ（途中参加）をＳＩＰサーバ２００に送信する操作をユーザから受付けた場合に、ＩＮＶＩＴＥ（途中参加）をＳＩＰサーバ２００に送信する。【０１９５】
したがって、グループ通話に途中参加する移動局１０のユーザは、グループ通話で実行中のアプリケーションを確認してからグループ通話に途中参加することができる。また、グループ通話に途中参加する移動局１０のユーザは、グループ通話で実行中のアプリケーションがユーザの意図しないアプリケーションであれば、当該途中参加を中止することができる。【０１９６】
さらに、本実施形態によれば、移動局１０は、ＳＩＰサーバ２００とのセッションをアプリケーション毎に設定するグループ通話処理部２４を備える。ＳＩＰサーバ２００から応答失敗（ＢＹＥ）を受信した場合、グループ通話処理部２４は、ＳＩＰサーバ２００とのセッションを切断する。そして、移動局１０の途中参加処理部２５ｂは、ＳＩＰサーバ２００とのセッションが切断されると、グループ通話で実行中のアプリケーションを用いてＩＮＶＩＴＥ（途中参加）をＳＩＰサーバ２００に送信する。【０１９７】
すなわち、ＳＩＰサーバ２００とのセッションが切断されてから、直ちにＩＮＶＩＴＥ（途中参加）がＳＩＰサーバ２００に送信されるので、ＳＩＰサーバ２００とのセッションの再設定に要する時間が短縮される。【０１９８】
本実施形態によれば、移動局１０は、ＳＭＳ情報取得部２１及び着信履歴格納部２３を備える。ＳＭＳ情報取得部２１は、グループ通話の開始時に実行されているアプリケーションである初期アプリケーションを識別する初期アプリケーション識別情報を含み、ＳＩＰサーバ２００へのログインを要求するＳＭＳ（登録要求）を取得する。着信履歴格納部２３は、ＳＭＳ（登録要求）に含まれる初期アプリケーション識別情報を記憶する。途中参加処理部２５ｂは、着信履歴格納部２３が記憶した初期アプリケーション識別情報に基づき、初期アプリケーションを用いて、ＩＮＶＩＴＥ（途中参加）をＳＩＰサーバ２００に送信する。【０１９９】
したがって、移動局１０は、アプリケーションがグループ通話開始時から変更されない場合には、着信履歴格納部２３が記憶した初期アプリケーション識別情報に基づき、当該グループ通話に途中参加することができる。【０２００】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。【０２０１】
図１では、基地局３０及び基地局４０が別々の基地局として記載されているが、これに限定されるものではない。具体的には、回線交換網３００及びパケット交換網４００の両方に含まれる１つの基地局が、基地局３０及び基地局４０が有する機能を併せ持っていてもよい。【０２０２】
上述した実施形態では、ＳＭＳサーバ１００とＳＩＰサーバ２００とが別々なサーバであるものとして説明したが、これに限定されるものではない。具体的には、回線交換網３００及びパケット交換網４００の両方に接続された１つのサーバが、ＳＭＳサーバ１００の機能及びＳＩＰサーバ２００の機能を併せ持っていてもよい。【０２０３】
上述した実施形態では、通信システムに設けられたサーバは、ＳＭＳサーバ１００及びＳＩＰサーバ２００であるが、これに限定されるものではない。具体的には、通信システムは、ＳＭＳサーバ１００及びＳＩＰサーバ２００に加えて、グループ通話を管理するグループ通話管理サーバを有していてもよい。この場合には、ＳＩＰサーバ２００に設けられたグループ通話管理ＤＢ２０３は、グループ通話管理サーバに設けられていてもよい。【０２０４】
上述した実施形態では、グループＩＤは、ＳＩＰサーバ２００へのアドレス登録を要求するＳＭＳ（登録要求）によって移動局１０に通知されるが、これに限定されるものではない。具体的には、グループＩＤは、グループ通話が開始された後に回線交換網３００を通じて送信されるＳＭＳ情報によって移動局１０に通知されてもよい。また、グループＩＤは、パケット交換網４００を通じて送信されるＳＩＰ情報（例えば、ＩＮＶＩＴＥ）によって移動局１０に通知されてもよい。【０２０５】
上述した実施形態では、移動局１０が所望のグループ通話に途中参加する際に、このグループ通話が存在し、グループ通話において実行されているアプリケーションがＩＮＶＩＴＥ（途中参加）の送信に使用したアプリケーションと一致しない場合、このグループ通話に参加中の移動局１０をそれぞれ識別する移動局識別情報（例えば、電話番号やＳＩＰアドレス）は、応答失敗を示すＳＩＰ情報（ＢＹＥ）によって、途中参加する移動局１０に通知されるが、これに限定されるものではない。具体的には、移動局識別情報は他のＳＩＰ情報（例えば１８０Ｒｉｎｇｉｎｇ）によって、途中参加する移動局１０に通知されてもよい。【０２０６】
このように本発明は、ここでは記載していない様々な実施形態等を包含するということを理解すべきである。したがって、本発明はこの開示から妥当な特許請求の範囲の発明特定事項によってのみ限定されるものである。【０２０７】
なお、日本国特許出願２００７−１４４２８４（２００７年５月３０日出願）の全内容が、参照により、本願明細書に組み込まれている。
【産業上の利用可能性】
【０２０８】
以上のように、本発明に係る無線通信システム、管理サーバ、無線通信端末及び無線通信方法によれば、無線通信端末がグループ通話に途中参加する場合であっても、実行中アプリケーションを用いて前記グループ通話に参加することを可能とするため、移動体通信などの無線通信において有用である。
【図１】
2008149780.tif 000003
【図２】
2008149780.tif 000004
【図３】
2008149780.tif 000005
【図４】
2008149780.tif 000006
【図５】
2008149780.tif 000007
【図６】
2008149780.tif 000008
【図７】
2008149780.tif 000009
【図８】
2008149780.tif 000010
【図９】
2008149780.tif 000011
【図１０】
2008149780.tif 000012
【図１１】
2008149780.tif 000013
【国際調査報告】
2008149780.tif 000014
2008149780.tif 000015